(57)【特許請求の範囲】
【請求項１】
床面等に設置可能な固定ベースと、該固定ベース上に支持されるとともに垂直方向の線状レーザー光を照射する垂直レーザーモジュールを垂下支持させた本体とからなり、該垂直レーザーモジュールから照射される垂直方向の線状レーザー光を床面、壁面及び天井面に照射して連続した墨出しラインを表示するようにしたレーザー墨出し器において、前記線状レーザー光の照射方向の固定ベースを床面に支持させる設置脚のうち前記固定ベースよりも前記墨出しラインの照射方向に突出して形成された設置脚にポイントを形成し、前記固定ベースの上面に配置される可動ベースの上部に前記本体を取付けるとともに、前記可動ベースを前記ポイントを中心として回動可能に前記固定ベースに対して支持させたことを特徴とするレーザー墨出し器。
【請求項２】
前記固定ベースに点状のレーザ光を床面に向けて照射する点状レーザモジュールを設け、前記ポイントが点状レーザモジュールから床面に照射されるレーザ光で形成されることを特徴とする請求項１に記載のレーザー墨出し器。
【請求項３】
前記本体に水平方向の線状レーザ光を照射する水平レーザモジュールを設けるとともに、該本体を支持している可動ベースに三脚取付部を形成し、該三脚取付部を可動ベースに対して回動可能に取り付けたことを特徴とする請求項１に記載のレーザー墨出し器。
【発明の詳細な説明】
【０００１】
【発明の属する技術分野】
本発明は、垂直方向に線状レーザー光を照射して、床面と壁面及び天井面に連続した墨出しラインを照射するレーザー墨出し器に関する。
【０００２】
【従来の技術】
垂直方向に線状のレーザー光を照射して、施工された床面と垂直な壁面及び天井面に連続した墨出しラインをレーザー光により形成するレーザー墨出し器が既に知られており、このようなレーザー墨出し器では、レーザー墨出し器のレーザモジュールから照射される線状レーザー光を床面照射して、床面に予め設定された基準墨線上に正確に一致させることが必要となる。通常は床面に投射されたレーザーラインと基準墨線とを重ね合わせるように墨出し器本体の設置脚を床面上で微妙に移動させて行うものであるが、回転方向と横方向への移動を同時に行うため一致させる作業が困難であった。
【０００３】
また、特開２０００−２９８０２２号公報に開示されているように、床面に設置したベース上のレーザー光の照射方向側に回転軸を形成してレーザー光の照射部本体をこの回転軸を中心として回転自在に支持させ、中空に形成された回転軸から床面が透視できるようにして回転軸の中心に通過点マークを表示したものが提案されている。本体から照射されるレーザー光線が回転軸の中心の通過点を通るように設定しているので、中空回転軸の通過点を床に設定された基準墨線上に一致させてベースを床面に設置することにより、回転軸を中心として本体を回転させるだけで、本体から照射されるレーザ光線を基準墨線に一致させることが可能となる。
【０００４】
【発明が解決しようとする課題】
上記従来の墨出し器では、ベースを透明板で構成しこのベースの上面に回転軸となる中空筒状体を介して本体側の可動板を回転自在に支持し、中空筒状体の中心部のベースの面に通過点マークを表示させているので、通過点マークが床面から浮いた位置にあり、基準墨線に通過点マークを正確に一致させるためには、中空回転軸の真上から覗いて通過点マークと基準墨線とを合わせることが必要であり、操作が煩わしくなるという問題がある。
【０００５】
本発明は、床面等に設定された基準墨線上に、簡単かつ正確に垂直方向の線状レーザー光を重ね合わせることが可能なレーザー墨出し器を提供することを課題とする。また、レーザー墨出し器を三脚上に設置して回転させることにより全方位への水平レーザー光線を照射できるようにしたレーザー墨出し器を提供することを課題とする。
【０００６】
【課題を解決するための手段】
上記課題を解決するため本発明は、床面等に設置可能な固定ベースと、該固定ベース上に支持されるとともに垂直方向の線状レーザー光を照射する垂直レーザーモジュールを垂下支持させた本体とからなり、該垂直レーザーモジュールから照射される垂直方向の線状レーザー光を床面、壁面及び天井面に照射して連続した墨出しラインを表示するようにしたレーザー墨出し器において、前記線状レーザー光の照射方向の固定ベースを床面に支持させる設置脚のうち前記固定ベースよりも前記墨出しラインの照射方向に突出して形成された設置脚にポイントを形成し、前記固定ベースの上面に配置される可動ベースの上部に前記本体を取付けるとともに、前記可動ベースを前記ポイントを中心として回動可能に前記固定ベースに対して支持させたことを特徴とする。
【０００７】
また、請求項２の発明は、前記固定ベースに点状のレーザ光を床面に向けて照射する点状レーザモジュールを設け、前記ポイントが点状レーザモジュールから床面に照射されるレーザ光で形成されることを特徴とする。
【０００８】
更に、請求項３の発明は、前記本体に水平方向の線状レーザ光を照射する水平レーザモジュールを設けるとともに、該本体を支持している可動ベースに三脚取付部を形成し、該三脚取付部を可動ベースに対して回動可能に取り付けたことを特徴とする。
【０００９】
【発明の実施の形態】
以下、本発明の実施の形態を図に示す実施例に基づいて説明する。本発明のレーザー墨出し器１は、下面側に床面等に設置するための設置脚３ａ、３ｂが配置された固定ベース２が設けられており、この固定ベース２の上面に固定ベース２に対して揺動可能に支持された可動ベース４が配置され、該可動ベース４にはレーザ光の発光部５を支持するためのフレーム６が載置されている。
【００１０】
レーザー光を照射させるの発光部５は前記フレーム６の上部に形成された支持装置７により吊り下げられて支持されており、重力によってフレーム６に対して常に鉛直方向に垂下されている。前記発光部５には垂直方向に線状のレーザー光を照射する垂直墨出しライン用の垂直レーザモジュール８と、水平方向に線状のレーザー光を照射する水平ライン用の水平レーザモジュール９が取り付けられている。
【００１１】
垂直レーザモジュール８は墨出し器１の上部に配置された光学レンズ８ａを介して垂直方向へ線状のレーザ光を照射し、このレーザ光は墨出し器１が載置されている床面と壁面及び天井面に連続した墨出しラインとして照射される。この墨出しラインは発光部５が重力により鉛直方向に吊り下げられていることから墨出し器１が載置された床面の水平度に関わりなく、鉛直方向の墨出しラインが形成される。同様に、水平レーザモジュール９からは床面の傾斜や墨出し器１の床面への設置状態が傾斜していることにかかわらず、常に水平な墨出しラインが壁面に照射されるようにされている。
【００１２】
上記レーザー光による垂直墨出しラインと水平墨出しラインは、前記可動ベース４の上面を覆っているカバー１０に形成された窓１０ａから垂直墨出しラインが床面、壁面及び天井面に照射され、水平墨出しラインが壁面に照射される。前記レーザーモジュール８、９を駆動するための駆動基板１１及び電池１２は、前記フレーム６に形成された取付部１３及び電池ケース１４に支持させるようにしている。
【００１３】
前記固定ベース２の下面に設置された設置脚の１つの設置脚３ａは前記垂直墨出しラインを照射する垂直レーザモジュールによるレーザー光の照射方向に配置されており、図３に示すように前方面が三角錐状に尖鋭に形成されたポイント１５を形成している。更にこのポイント１５が固定ベース２の外周縁より突出して形成され、前記垂直レーザモジュール８から照射される垂直墨出しラインがこのポイント１５を通過するように前記垂直レーザモジュール８が配置されている。他の設置脚３ｂは前記設置脚３ａとバランスがとれるように固定ベース２の下面に配置され、これらの設置脚３ｂは固定ベース２の床面への設置状態を水平に調整できるように固定ベース２に対して螺合により取り付けられている。
【００１４】
図５（ａ）に示すように、フレーム６に支持された発光部５を取り付けている可動ベース４の底壁には、前記固定ベース２に取り付けた設置脚３ａのポイント１５を中心とした円弧状の複数のガイド穴１６、１７が形成されている。ガイド穴１６は前記支持脚３ａ固定軸上に形成され、支持脚３ａを固定ベース２に取り付けているネジ１８がガイド穴１６を貫通して可動ベース４の上面側からワッシャ１９を介してナット２０により固定されている。また、図５（ｂ）に示すように、他方のガイド穴１７には固定ベース２の上面に形成されたガイド突起２１が前記ガイド穴１７内に遊嵌され、ガイド突起２１の上端に形成した鍔部２２により可動ベース４を固定ベース２の上面に揺動可能に支持させている。
【００１５】
また、固定ベース２の中央にはレーザー墨出し器１を三脚に取り付けるための三脚取付部２３が回転自在に取り付けられている。前記固定ベース２にはこの三脚取付部２３を固定ベースの下面側に露出させるための開口が形成されており、この開口は前記設置脚３ａのポイント１５を中心とした円弧形状に形成されており、可動ベース４が固定ベース２に対して揺動される際のガイドを兼用させている。
【００１６】
上記構造により、可動ベース４をポイント１５を中心として床面に載置した固定ベース２の上面で回動することにより、垂直レーザモジュール８から照射される垂直レーザー光の照射方向を前記設置脚３ａの先端に形成されたポイント１５を中心として照射角度を可変調整することができる。また、三脚に取り付けた墨出し器１を三脚取付部２３で回転させることにより水平レーザモジュール９から照射される水平墨出しラインを床面から任意高さで全周囲の壁面に照射させることが可能となる。
【００１７】
上記実施例のレーザー墨出し器１により、床面に設定された基準墨線ａに垂直墨出しラインを一致させる操作は、図６に示すように、レーザー墨出し器１を基準墨線Ａが予め設定されている床面に載置し、レーザー墨出し器１の前方に設けた設置脚３ａ先端ののポイント１５をこの基準墨線Ａ上に一致させる。このとき必要により後方側に形成されている設置脚３ｂを調整して墨出し器１の水平状態を調整する。
【００１８】
この状態で、可動ベース４をこれに形成されているガイド穴１６、１７を固定ベース２に形成されたネジ１８、及びガイド突起２１に沿って揺動させると、可動ベース４は前記ポイント１５を中心として回動され、可動ベース４に支持されている垂直レーザーモジュール８から照射される垂直墨出しラインＢの照射方向が前記ポイント１５を中心として回転移動するので、この垂直墨出しラインＢを前記基準墨線Ａと重なるように調整する。
【００１９】
次に、図７に示す本発明の別の実施例を説明する。この実施例では、固定ベース２に点状のレーザー光を照射する点状レーザモジュール２４が設けられており、この点状レーザモジュール２４から照射される点状のレーザー光を床面に照射して、床面にレーザー光によるポイントマーク２５を形成させるようにするとともに、可動ベース４の回動中心が床面に形成される前記ポイントマーク２５が中心となるように固定ベース２に回動可能に支持させているものである。これによれば、レーザー墨出し器１から離れた位置で床面に設定されている基準墨線Ａ上に垂直墨出しラインＢの回転中心となるポイントマーク２５を設定できる。
【００２０】
また、前述の実施例では、設置脚３ａ、３ｂの高さ調整により固定ベース２の水平調整が行えるように説明しているが、垂直レーザモジュール８と水平レーザモジュール９を取り付けている発光部５がフレーム６に対して常に鉛直方向に垂下支持されているので、各モジュールから照射される垂直及び水平のレーザラインは固定ベース２が設置されている床面の傾斜に関わりなく水平及び垂直方向に照射されるので、特に設置脚３ａ、３ｂの調整機能は設けなくてもよい。
【００２１】
【発明の効果】
以上のように、本発明によれば、垂直墨出しラインの照射方向の前方側の固定ベースに、この固定ベースの外周縁側にポイント又はポイントマークを形成しているので、ポイント、ポイントマークを床面に設定された基準墨線と一致させる操作が容易に行え、また、ポイントが床面に直接接触するか又は非接触のレーザポイントマークとして照射されるので、視認方向によるポイント、ポイントマークと基準墨線とのずれが生ずることがなく、正確にポイント及びポイントマークを基準墨線上に一致させることができる。特に非接触のレーザポイントマークによれば、基準墨線が設定されている床面と固定ベースを設置する床面に段差があった場合でも、ポイントマークにより容易に垂直墨出しラインを基準墨線に一致させることができる。
【００２２】
また、垂直墨出しラインを照射するレーザモジュールを支持している可動ベースを前記ポイント及びポイントマークを中心として回動可能に前記固定ベースに対して支持させているので、床面に載置した固定ベースに対して可動ベースを揺動させることにより、垂直墨出しラインが前記ポイント及びポイントマークを中心として回転するので、ポイントを基準墨線に一致させた状態で、可動ベースを回動させるだけで、垂直墨出しラインを基準墨線に正確に一致させることが可能となる。
【００２３】
更に、可動ベースの中央部に三脚取付部を回動自在に取り付けているので、レーザー墨出し器を三脚に取り付けて任意高さの水平墨出しラインが照射できるとともに、可動ベースを三脚取付部で回転させることにより水平墨出しラインを全周囲の壁面に照射させることが可能となる。
【図面の簡単な説明】
【図１】  本発明の実施例によるレーザー墨出し器の内部構造を示す側面図。
【図２】  本発明の実施例によるレーザー墨出し器の縦断側面図。
【図３】  本発明の実施例による墨出し器の平面図。
【図４】  固定ベースと可動ベースの作動状態を示す平面図。
【図５】  固定ベースと可動ベースの揺動支持部の構造を示す部分断面図。
【図６】  本実施例による垂直墨出しラインを基準墨線へ一致させる作業の状態を示す斜視図。
【図７】  本発明の別の実施例によるレーザー墨出し器の要部を示す断面図。
【符号の説明】
１  レーザー墨出し器
２  固定ベース
３ａ、３ｂ  設置脚
４  可動ベース
５  発光部
６  フレーム
７  支持装置
８  垂直レーザモジュール
９  水平レーザモジュール
１５、１５ａ、１５ｂ  ポイント
１６  ガイド穴
１７  ガイド穴
１８  ネジ  １９  ワッシャ
２０  ナット
２１  ガイド突起
２２  鍔部
２３  三脚取付部
２４  点状レーザモジュール
２５  ポイントマーク
【図１】
0004016673.tif 000002
【図２】
0004016673.tif 000003
【図３】
0004016673.tif 000004
【図４】
0004016673.tif 000005
【図５】
0004016673.tif 000006
【図６】
0004016673.tif 000007
【図７】
0004016673.tif 000008